(57)【要約】【課題】  閉じた状態で３枚引戸を面一にすること。引戸の連動開始段階及び連動終了直前段階において追随する引戸を滑らかに連動開閉させること。【解決手段】  ３枚引戸１は閉じた状態では面一となる。一方引戸１ａ側から開く際に一方引戸１ａと中央引戸１ｃとを他方引戸１ｂの前後両側に誘導する誘導機構１９と、一方引戸１ａ側の操作力を中央引戸１ｃに伝達して中央引戸１ｃを一方引戸１ａに追従して開閉させる連動機構１５とを備える。連動機構１５は、開く際には一方引戸１ａと中央引戸１ｃが他方引戸１ｂを挟んで前後に離反する連動開始段階で受け部材１５ｅが押し側の傾斜ガイド面１５ｂに押されてその押し操作力が中央引戸１ｃの移動経路と略平行な方向に向かって作用する。閉じる際には連動終了直前段階に受け部材１５ｅが引き側の傾斜ガイド面１５ｄに引かれてその引き操作力が中央引戸１ｃの移動経路Ｃと略平行な方向に向かって作用する。【選択図】        図１
2006112158.tif 000002
【特許請求の範囲】
【請求項１】
中央引戸と、閉じた状態で中央引戸の一方の側方に配置される一方引戸と、中央引戸の他方の側方に配置される他方引戸とからなり、閉じた状態で一列に面一となるように配置される３枚引戸と、一方引戸を他方引戸側に向かって移動して一方引戸を他方引戸の前に重なるように誘導し、且つ中央引戸を他方引戸側に向かって移動して他方引戸の後に重なるように誘導する誘導機構と、一方引戸側の操作力を中央引戸に伝達して中央引戸を一方引戸に追従して開閉させるための連動機構とを備え、上記連動機構は、一方引戸の上端部から中央引戸の移動経路に向って突出する傾斜連動金具と、中央引戸の上端部から突出して傾斜連動金具に係脱可能な受け部材とからなり、傾斜連動金具は、基端から先端にいく程上記一方引戸の開き方向とは反対方向に位置するように傾斜した押し側の傾斜ガイド面と、押し側の傾斜ガイド面の先端から一方引戸の開き方向に向かって屈曲する係止面と、係止面の先端から押し側の傾斜ガイド面と略平行に対向するように突出した引き側の傾斜ガイド面とを備え、開く際には一方引戸と中央引戸とが左右にずれた状態では受け部材は傾斜連動金具とは干渉せず、一方引戸と中央引戸とが概ね重なる段階で受け部材が押し側の傾斜ガイド面に片当たりし、さらに一方引戸と中央引戸とが他方引戸を挟んで前後に離反する連動開始段階で受け部材が押し側の傾斜ガイド面に押されてその押し操作力が中央引戸の移動経路と略平行な方向に向かって作用し、さらに受け部材が係止面に係止した状態で一方引戸と中央引戸とが全開位置まで移動し、逆に閉じる際には受け部材が係止面に係止した状態で中央引戸が閉じ位置に近づき、さらに連動終了直前段階に受け部材が引き側の傾斜ガイド面に引かれてその引き操作力が中央引戸の移動経路と略平行な方向に向かって作用するように構成されていることを特徴とする引戸装置。
【請求項２】
上記受け部材をローラーで構成したことを特徴とする請求項１記載の引戸装置。
【請求項３】
上記受け部材の傾斜連動金具に対する上下位置を調整する上下調整手段、及び傾斜連動金具に対する前後位置を調整する前後調整手段の少なくとも一方を備えていることを特徴とする請求項１又は請求項２記載の引戸装置。
【発明の詳細な説明】
【技術分野】
【０００１】
本発明は、引戸装置に関し、詳しくは閉じた状態で各引戸が面一となる引戸装置に関するものである。
【背景技術】
【０００２】
従来から、３枚引戸の場合、各引戸が各々平行に直進移動して閉状態と右開き状態又は左開き状態となる引き違い式の引戸装置が知られている（例えば、特許文献１参照）。
【０００３】
ところが、上記特許文献１に見られる従来例では、閉状態では手前側から後方にかけて各引戸が段差状となるため、外観上の見栄えが悪いだけでなく、各引戸ごとに上レールの長手方向と直交する前後方向に３本のレール部を並設する必要があり、このため上レールの全体の見込み寸法（奥行き）を大きくとる必要が生じるなど、施工自由度が小さいという制約もあった。
【０００４】
他の従来例として、３枚引戸を一方引戸側から開く際には、一方引戸側の操作力を中央引戸に伝達して中央引戸を一方引戸に追従して開閉させるための連動機構を備えた引戸装置が知られている（例えば、特許文献２参照）。
【０００５】
上記特許文献２に見られる連動機構は、一方引戸の上端部から中央引戸の移動経路に向って突出する垂直当たり面を有する鉤形のフック部と、中央引戸の上端部から突出してフック部に係脱可能な受け部材とで構成されており、開く際には一方引戸と中央引戸とが概ね重なる段階で受け部材がフック部の垂直当たり面に片当たりし、さらに一方引戸と中央引戸とが他方引戸を挟んで前後に離反する段階で受け部材がフック部に係合可能となり、これにより一方引戸側の操作力を中央引戸に伝達して中央引戸を一方引戸に追従して開閉させるものである。
【０００６】
ところが、この従来例では、引戸の連動開始段階では、一方引戸側のフック部の垂直当たり面が、中央引戸側の受け部材を中央引戸の移動経路とは異なる方向に押すものである。つまり、垂直当たり面の基端から先端までどの位置でも受け部材に対しては、中央引戸の移動経路とはずれた角度に操作力が作用するため、操作力の一部の力（分力）しか受け部材を押す力とならず、残りの力は全くロスになる。このため、無駄な力が増えて、大きな操作力を必要とし、そのうえ滑らかな連動開閉ができず、操作性が悪くなるという問題があった。
【特許文献１】実開昭５１−１０３５２４号公報
【特許文献２】特開２００３−１２０１１５号公報
【発明の開示】
【発明が解決しようとする課題】
【０００７】
本発明は上記の従来の問題点に鑑みて発明したものであって、閉じた状態で３枚引戸間に段差が生じることがなく、一連の連続した壁面としての外観を呈することができると共に、引戸の連動開始段階及び連動終了直前段階において追随する引戸を滑らかに連動開閉させることができ、操作力を効率よく伝達でき、開閉操作性を向上させることができる引戸装置を提供することを課題とするものである。
【課題を解決するための手段】
【０００８】
前記課題を解決するために本発明にあっては、中央引戸１ｃと、閉じた状態で中央引戸１ｃの一方の側方に配置される一方引戸１ａと、中央引戸１ｃの他方の側方に配置される他方引戸１ｂとからなり、閉じた状態で一列に面一となるように配置される３枚引戸１と、一方引戸１ａを他方引戸１ｂ側に向かって移動して一方引戸１ａを他方引戸１ｂの前に重なるように誘導し、且つ中央引戸１ｃを他方引戸１ｂ側に向かって移動して他方引戸１ｂの後に重なるように誘導する誘導機構１９と、一方引戸１ａ側の操作力を中央引戸１ｃに伝達して中央引戸１ｃを一方引戸１ａに追従して開閉させるための連動機構１５とを備え、上記連動機構１５は、一方引戸１ａの上端部から中央引戸１ｃの移動経路Ｃに向って突出する傾斜連動金具１５ａと、中央引戸１ｃの上端部から突出して傾斜連動金具１５ａに係脱可能な受け部材１５ｅとからなり、傾斜連動金具１５ａは、基端から先端にいく程上記一方引戸１ａの開き方向Ｄとは反対方向に位置するように傾斜した押し側の傾斜ガイド面１５ｂと、押し側の傾斜ガイド面１５ｂの先端から一方引戸１ａの開き方向Ｄに向かって屈曲する係止面１５ｃと、係止面１５ｃの先端から押し側の傾斜ガイド面１５ｂと略平行に対向するように突出した引き側の傾斜ガイド面１５ｄとを備え、開く際には一方引戸１ａと中央引戸１ｃとが左右にずれた状態では受け部材１５ｅは傾斜連動金具１５ａとは干渉せず、一方引戸１ａと中央引戸１ｃとが概ね重なる段階で受け部材１５ｅが押し側の傾斜ガイド面１５ｂに片当たりし、さらに一方引戸１ａと中央引戸１ｃとが他方引戸１ｂを挟んで前後に離反する連動開始段階で受け部材１５ｅが押し側の傾斜ガイド面１５ｂに押されてその押し操作力Ｐ１が中央引戸１ｃの移動経路Ｃと略平行な方向に向かって作用し、さらに受け部材１５ｅが係止面１５ｃに係止した状態で一方引戸１ａと中央引戸１ｃとが全開位置まで移動し、逆に閉じる際には受け部材１５ｅが係止面１５ｃに係止した状態で中央引戸１ｃが閉じ位置に近づき、さらに連動終了直前段階に受け部材１５ｅが引き側の傾斜ガイド面１５ｄに引かれてその引き操作力Ｐ２が中央引戸１ｃの移動経路Ｃと略平行な方向に向かって作用するように構成されていることを特徴としている。
【０００９】
このような構成とすることで、閉じた状態で隣接する引戸１間に段差が生じることがなくて、一連の連続した壁面としての外観を呈することができると共に、一方引戸１ａ（又は他方引戸１ｂ）から開く際には一方引戸１ａを他方引戸１ｂ及び中央引戸１ｃよりも手前側（室内側）に移動させるので、開閉操作がきわめて容易になる。さらに、連動機構１５によって中央引戸１ｃを手で開閉する必要がなくなり、開閉操作がきわめて容易となるうえに、一方引戸１ａと中央引戸１ｃとの連動開始段階及び連動終了直前段階において、一方引戸１ａ側の操作力を中央引戸１ｃに効率よく伝達できるようになり、開閉いずれの場合も、中央引戸１ｃの滑らかな連動開閉が可能となる。従って、操作時の力のロスをなくすことができるので、小さな操作力で済む。
【００１０】
また、上記受け部材１５ｅをローラーで構成するのが好ましく、この場合、連動開始段階及び連動終了直前段階において、それぞれ、傾斜連動金具１５ａと受け部材１５ｅとの摩擦が極力小さくなり、その際の開閉操作力をより一層低減することができる。
【００１１】
また、上記受け部材１５ｅの傾斜連動金具１５ａに対する上下位置を調整する上下調整手段２７、及び傾斜連動金具１５ａに対する前後位置を調整する前後調整手段２８の少なくとも一方を備えているのが好ましく、この場合、建物躯体のタチの狂い（傾き、たわみ等）、或いは各部品の取付け位置のバラツキ等により引戸１が傾いている場合であっても、傾斜連動金具１５ａの上下位置を調整することで、受け部材１５ｅが傾斜連動金具１５ａに確実に当たるようになり、さらに受け部材１５ｅが傾斜連動金具１５ａから離れる前後方向Ａ，Ｂの位置を変化させることで、中央引戸１ｃの停止位置をできる限り、定位置に設定できるようになる。
【発明の効果】
【００１２】
本発明に係る引戸装置は、３枚引戸が閉じた状態で一列に面一となるように配置されるように構成してあることで、閉じた状態で隣接する引戸間に段差が生じることがなくて、一連の連続した壁面としての外観を呈することができ、見栄えが大幅に向上するものである。しかも、一方引戸（又は他方引戸）から開く際には一方引戸を他方引戸及び中央引戸よりも手前側（室内側）に移動させるので、開閉操作がきわめて容易になる。さらに連動機構によって一方引戸と中央引戸との連動開始段階及び連動終了直前段階において、一方引戸側の操作力を中央引戸に効率よく伝達できるので、従来のフック部を引戸の開き方向と直交方向に突出させた場合と比較して、開閉操作性を大幅に向上させることができる。
【発明を実施するための最良の形態】
【００１３】
以下、本発明を添付図面に示す実施形態に基いて説明する。
【００１４】
本発明の引戸装置は、図１、図１０に示すように３枚の引戸１を有し、閉じた状態で中央引戸１ｃと、中央引戸１ｃの一方の側方に配置される一方引戸１ａと、中央引戸１ｃの他方の側方に配置される他方引戸１ｂとで構成され、閉じた状態で上記３枚の引戸１が一列に並ぶだけでなく３枚全体が段差なく面一となるように配置されるようになっている。これにより例えばクローゼットの扉として用いた場合、３枚の引戸１が段差無く面一に連続した一連の壁としての外観を呈することができるようになっており、見栄えが良好となる。
【００１５】
上記３枚の引戸１は、図１に示すように、一方引戸１ａ側から他方引戸１ｂ側に移動して開く際には該一方引戸１ａが他方引戸１ｂの前方Ａに誘導し且つ中央引戸１ｃを他方引戸１ｂの後方Ｂに誘導するための誘導機構１９と、一方引戸１ａ側の操作力を中央引戸１ｃに伝達して中央引戸１ｃを一方引戸１ａに追従して開閉させるための連動機構１５とを備えている。
【００１６】
先ず、誘導機構１９は、引戸１の上部に各々取り付けられる上ランナー２１〜２３と、引戸１の下部に各々取り付けられる下ローラー４１と、上記上ランナー２１〜２３、下ローラー４１を走行自在にガイドする戸枠４に設けた上下レール５、６とで構成してある。
【００１７】
戸枠４は３枚の引戸１を開閉自在に取付けるための開口部に取付けられる矩形状の枠体であり、図１０に示すように、上下レール５、６と左右縦枠４ａとで構成してある。
【００１８】
上レール５は、図２、図７に示すように、躯体に固定される上レール本体５０と、上レール本体５０の開口に配置される上レールカバー５１とに分割されている。なお図７中のＸは室内側、Ｙは天井側である。
【００１９】
上レールカバー５１は、直進部レールカバー５１Ａと曲進部レールカバー５１Ｂとに分割されている。上レール本体５０と直進部レールカバー５１Ａとの隙間には、図１、図６（ａ）に示すように、上レール５の長手方向Ｍと直交する前後方向Ａ，Ｂに並んで、溝状の共用レール部７と溝状の中央引戸用レール部８とが並設されている。曲進部レールカバー５１Ｂには、後述の外側曲進レール部１１と内側曲進レール部１２と湾曲レール部１３とが形成されている。
【００２０】
先ず、上記共用レール部７は、一方及び他方引戸１ｂ、１ｂ（すなわち左右両側の引戸１ａ、１ｂ）の各上端部の両端２箇所に設けた左右２個の上ランナー２１、２２をそれぞれ走行自在にガイドするものであり、中央引戸用レール部８は中央引戸１ｃの上端部に設けた左右２個の上ランナー２３を走行自在にガイドするものである。
【００２１】
上記共用レール部７は、上レール５の長手方向Ｍと平行に延びた前側直進レール部９と、前側直進レール部９の長手方向Ｍの両端側からそれぞれ後方Ｂに向って略Ｌ字状に屈曲した左右２個の外側曲進レール部１１と、前側直進レール部９の長手方向Ｍの両端側よりも内側に寄った２箇所からそれぞれ分岐して後方Ｂに向って略Ｌ字状に屈曲した左右２個の内側曲進レール部１２とを備えている。
【００２２】
また、上記中央引戸用レール部８は、前側直進レール部９と平行な後側直進レール部１０と、後側直進レール部１０における左右２個の内側曲進レール部１２と対向する位置よりもそれぞれ内側に寄った２箇所から前方Ａに向って半円形状に湾曲した左右２個の湾曲レール部１３とを備えている。なお図６（ａ）中の１０ａ、１０ｂは、後側直進レール部１０の長手方向の中間部と左右の湾曲レール部１３との連通部分から分岐し後側直進レール部１０の中間部分から後側直進レール部１の左右両側部側に向けてそれぞれ連出した直進部であって、直進部１０ａには中央引戸１ｃを左端に寄せたときに中央引戸１ｃの右側の上ランナー２３が入り込む部分であり、１０ｂは、中央引戸１ｃを右端に寄せたときに中央引戸１ｃの左側の上ランナー２３が入り込む部分である。
【００２３】
上記前側直進レール部９に設けた左右２個の外側曲進レール部１１の後端部と、左右２個の内側曲進レール部１２の後端部と、後側直進レール部１０における左右２個の湾曲レール部１３の前端部とは、前側直進レール部９、後側直進レール部１０と平行な仮想直線上に位置している。また、左側の外側曲進レール部１１の後端部と左側の内側曲進レール部１２の後端部との間の距離は左側の引戸１（つまり他方引戸１ｂ）の左右の上ランナー２２間の距離に等しく、また、右側の外側曲進レール部１１の後端部と右側の内側曲進レール部１２の後端部との間の距離は右側の引戸１（つまり一方引戸１ａ）の左右の上ランナー２１間の距離に等しく、更に、左右の湾曲レール部１３の前端部間の距離は中央引戸１ｃの左右の上ランナー２３間の距離に等しく設定してある。
【００２４】
ここで、閉状態では、図１（ａ）に示す他方引戸１ｂの各上ランナー２２が左側に位置する外側曲進レール部１１と内側曲進レール部１２の各後端部にそれぞれ入り込み、中央引戸１ｃの各上ランナー２３が左右２個の湾曲レール部１３の各前端部にそれぞれ入り込み、且つ一方引戸１ａの各上ランナー２１が右側に位置する外側曲進レール部１１と内側曲進レール部１２の各後端部にそれぞれ入り込むことで、各引戸１が上レール５の長手方向Ｍと平行な同一平面となるように（つまり、３枚の引戸１が面一に連続するように）並置される。
【００２５】
一方、右開き状態では、図１（ｅ）のように中央引戸１ｃの左側の上ランナー２３が後側直進レール部１０の左側の端部に移動すると共に右側の上ランナー２３が直進部１０ａにそれぞれ移動し、且つ一方引戸１ａの各上ランナー２１が前側直進レール部９の左側にそれぞれ移動することで、手前から順に一方引戸１ａと他方引戸１ｂと中央引戸１ｃとが重ねて並置される。
【００２６】
また、図１２の左開き状態では、一方引戸１ａの各上ランナー２１が右側に位置する外側曲進レール部１１及び内側曲進レール部１２の各後端部にそれぞれ入り込み、中央引戸１ｃの右側の上ランナー２３が後側直進レール部１０の右側の端部に移動すると共に左側の上ランナー２３が直進部１０ｂにそれぞれ移動し、且つ他方引戸１ｂの各上ランナー２２が前側直進レール部９の左側にそれぞれ移動することで、図１２（ｃ）のように手前から順に他方引戸１ｂと一方引戸１ａと中央引戸１ｃとが重ねて並置される。
【００２７】
これら右開き状態と左開き状態とは任意に選択できるようになっている。つまり、誘導機構１９は、一方引戸１ａと中央引戸１ｃと他方引戸１ｂとを前後に重ねた状態で、中央引戸１ｃを他方引戸１ｂと重ならない位置に移動して他方引戸１ｂと面一となるように誘導し、且つ一方引戸１ａを他方引戸１ｂ及び中央引戸１ｃとは重ならない位置に移動して中央引戸１ｃと面一となるように誘導する機能も兼ねている。
【００２８】
なお、各引戸１の相互の突き合わせ部には、互いに対向する一対の隙間隠し用Ｌ形部材を取り付けてもよいが、例え各引戸１の突き合わせ面に斜め形状のカット部を設けて各引戸１間の隙間をなくすようにすることも可能である。
【００２９】
一方、各引戸１の上ランナー２１〜２３は、図４、図５、図８に示すように、ローラーブロック２４と、ローラーブロック２４の上面から上方に突出する補助ローラー２５ａと、別のローラーブロック２４の上面から上方に突出する補助ローラー２５ｂとで構成されている。ここで、上ローラー３４は、図３に示すように、互いに直交するローラー横軸Ｗとローラー縦軸Ｚとによって複数方向に回転自由度を持っているため、直進だけでなく、曲進の場合の走行の安定感も同時に得られるようになる。従って、補助ローラー２５ａ又は２５ｂが補助レール１８ａ〜１８ｆのいずれかに沿って曲進する際に、擦れ等による金属音の発生や摩擦の発生を防止できると共に、仮りに補助レール１８ａ〜１８ｆの曲率半径を小さくした場合でも、スムーズな曲進走行を実現できるようになる。さらに補助レール１８ａ〜１８ｆの曲率半径を小さくすることで、ローラーブロック２４の小型化が容易となり、結果、上レール５の小型化を図ることが容易となる。また、ローラーブロック２４を樹脂製とすることで、引戸１が開位置又は閉位置まで移動したときの衝撃の発生を緩和でき、使い勝手も良くなる。ちなみに、補助レール１８ａ〜１８ｆの曲率半径を大きくすると、上レール５が大きくなり、開状態において引戸１間の隙間も大きくなる弊害があるが、本発明ではかかる弊害はない。
【００３０】
また本実施形態では、図３に示すように、上ランナー２１〜２３を引戸１の上端部に連結するためのランナー連結部材４０を、上ランナー２１〜２３が引戸１の後面よりも後方Ｂはみ出して位置するように略Ｌ字形に屈曲形成している。本実施形態では、ランナー連結部材４０の垂直部分を引戸１側に固定し、水平部分に上ランナー２１（又は２２、２３）を枢着している。このように、ランナー連結部材４０を略Ｌ字形に屈曲させることで、扉枠の見込み寸法（奥行き）を従来よりも小さくした場合でも、図３の引戸１の開動作時に一方引戸１ａ（操作側引戸）を室内側に突出させて配置できる。従って、クローゼットの場合、従来品よりも収納容量がアップすると共に、収納庫内に荷崩れが発生した場合でも、一方引戸１ａ又は他方引戸１ｃが開けやすくなる。また、室内から下レール６が見えにくくなり、見栄えが一層向上する。
【００３１】
また上記ローラーブロック２４は、図３に示すように、互いに直交するローラー横軸Ｗとローラー縦軸Ｚとによって複数方向に回転自由度を持っているため、直進だけでなく、曲進の場合の走行の安定感も同時に得られるようになる。従って、補助ローラー２５ａ又は２５ｂが補助レール１８ａ〜１８ｆのいずれかに沿って曲進する際に、擦れ等による金属音の発生や摩擦の発生を防止できると共に、仮りに補助レール１８ａ〜１８ｆの曲率半径を小さくした場合でも、スムーズな曲進走行を実現できるようになる。さらに補助レール１８ａ〜１８ｆの曲率半径を小さくすることで、ローラーブロック２４の小型化が容易となり、結果、上レール５の小型化を図ることが容易となる。
【００３２】
ところで、引戸１の上端部に後述の連動機構１５を設けている場合、引戸１の連動開始時や引戸の全閉時に、傾斜連動金具１５ａを回転中心、把手部を力点として、把手が取り付けられていない側の引戸１の端部側に浮き上がりが発生しやすい。この浮き上がりが発生すると、商品としての品位を損なうだけでなく、傾斜連動金具１５ａが上レール５と接触して傷がついたり、或いは引戸の浮き上がりと同時にローラーブロック２４が浮き上がり、後述の分岐部材１８を破損させるという問題がある。そこで、本例では、図５に示すように、ランナー連結部材４０と上レール５との間に、樹脂製スペーサからなる干渉部材１２０を配置している。これにより、引戸の浮き上がりを最小限に押えるだけでなく、浮き上がりによる上レール５の傷付きを防止でき、さらに分岐部材１８の破損を防止できるようになる。
【００３３】
次に、補助ローラー２５ａ，２５ｂを案内する分岐部材１８を説明する。図６に示すように、外側曲進レール部１１、内側曲進レール部１２、湾曲レール部１３の各分岐点には、それぞれ、補助ローラー２５ａと補助ローラー２５ｂの高低及び突出位置の違いに応じて分岐点における引戸１の進行方向を直進又は曲進のいずれかに決めるための分岐部材１８が配設されている。
【００３４】
ここで、各分岐部材１８は、共用レール部７又は中央引戸用レール部８の上方位置から異なる長さで垂下した第１乃至第６の補助レール１８ａ〜１８ｆ（図７）で構成されている。
【００３５】
さらに本実施形態では、各引戸１において、上記補助ローラー２５ａと補助ローラー２５ｂの突出高さ及びその突出位置を異ならせている。ここでは、図４、図５、図８に示すように、一方引戸１ａ及び他方引戸１の左側の補助ローラー２５ｂを手前側の位置から高く低く突出させ、右側の補助ローラー２５ａを後前側の位置から低く突出させている。また、中央引戸１ｃの左側の補助ローラー２５ａを手前側の位置から低く突出させ、右側の補助ローラー２５ｂを後側の位置から高く突出させている。
【００３６】
一方、第１の補助レール１８ａは、図４、図５、図６（ａ）に示すように、前側直進レール部９よりも手前側の位置から左側の外側曲進レール部１１に沿って短く垂下しており、第２の補助レール１８ｂは、前側直進レール部９よりも後側の位置から左側の内側曲進レール部１２に沿って長く垂下している。第３の補助レール１８ｃは、前側直進レール部９よりも後側の位置から右側の外側曲進レール部１１に沿って長く垂下しており、第４の補助レール１８ｄは、前側直進レール部９よりも手前側の位置から右側の内側曲進レール部１２に沿って短く垂下している。また、第５の補助レール１８ｅは、後側直進レール部１０よりも手前側の位置から左側の湾曲レール部１３に沿って長く垂下しており、第６の補助レール１８ｆは、後側直進レール部１０よりも後側の位置から右側の湾曲レール部１３に沿って短く垂下している。
【００３７】
さらに本実施形態では、前側直進レール部９及び後側直進レール部１０に沿って、それぞれ、ローラーブロック２４の両側面をガイドする前後一対のガイドリブ３８を設け、上記外側曲進レール部１１、内側曲進レール部１２、湾曲レール部１３の各分岐点とそれぞれ対向するガイドリブ３８の一部に、分岐部材１８によって曲進するローラーブロック２４を外側曲進レール部１１又は内側曲進レール部１２又は湾曲レール部１３のいずれかに進行させるための切欠穴３９（図７）を形成している。
【００３８】
ここにおいて、各引戸１を閉じた状態では、図１、図６に示す他方引戸１の左側の高い補助ローラー２５ｂは短い補助レール１８ａに入り込み且つ右側の低い補助ローラー２５ａは長い補助レール１８ｂに入り込んでいる。また中央引戸１ｃの左側の低い補助ローラー２５ａは長い補助レール１８ｅに入り込み且つ右側の高い補助ローラー２５ｂは短い補助レール１８ｆに入り込んでいる。また、一方引戸１ａの左側の高い補助ローラー２５ｂは短い補助レール１８ｄに入り込み且つ右側の低い補助ローラー２５ａは長い補助レール１８ｃに入り込んでいる。
【００３９】
この閉じた状態から例えば一方引戸１ａを左側に開くと、一方引戸１ａの高い補助ローラー２５ｂは補助レール１８ｂの手前を通過して補助レール１８ａの手前まで直進し、低い補助ローラー２５ａは短い補助レール１８ｄの下をくぐって補助レール１８ｂの手前位置まで直進する。これにより一方引戸１ａの各上ランナー２２を左側の外側曲進レール部１１と内側曲進レール部１２にそれぞれスムーズに移動させることができる。また一方引戸１ａと連動して開く中央引戸１ｃは、補助ローラー２５ａ，２５ｂにガイドされることで、中央引戸１ｃの各上ランナー２３を後側直進レール部１０の左側と直進部１０ａ（図１（ａ））とにそれぞれスムーズに移動させることができる。なお他方引戸１を右側に開く場合も同様である。
【００４０】
このように、補助レール１８ａ〜１８ｆの高さ及び位置を異ならせ、一方、引戸１の各補助ローラー２５ａと補助ローラー２５ｂの高さ及び位置を異ならせるだけで、外側曲進レール部１１、内側曲進レール部１２、湾曲レール部１３の各分岐点において引戸１の進行方向を直進か曲進かを決めることが可能となり、従って、引戸１の開閉操作をより一層、迅速、且つ、スムーズに行なうことができ、操作性が大幅に向上するものである。
【００４１】
次に連動機構１５を説明する。図８に示すように、一方引戸１ａ及び他方引戸１ｂの把手側の上端部には、それぞれ、一方引戸１ａの上端部から中央引戸１ｃの移動経路Ｃに向って突出する傾斜連動金具１５ａが取り付けられている。中央引戸１ｃの両サイドの上端部には、傾斜連動金具１５ａに係脱可能な受け部材１５ｅが各々取り付けられている。これら傾斜連動金具１５ａと受け部材１５ｅとによって、一方引戸１ａ側の操作力を中央引戸１ｃに伝達して中央引戸１ｃを一方引戸１ａに連動して開閉させるための連動機構１５が構成されている。
【００４２】
ここで、上記傾斜連動金具１５ａは、基端から先端にいく程上記一方引戸１ａの開き方向Ｄとは反対方向に位置するように傾斜した押し側の傾斜ガイド面１５ｂと、押し側の傾斜ガイド面１５ｂの先端から一方引戸１ａの開き方向Ｄに向かって屈曲する係止面１５ｃと、係止面１５ｃの先端から押し側の傾斜ガイド面１５ｂと略平行に対向するように突出した引き側の傾斜ガイド面１５ｄとが一体形成されている。ここで、一方引戸１ａ側の操作力を中央引戸１ｃに効率良く伝達するためには、押し側の傾斜ガイド面１５ｂ及び引き側の傾斜ガイド面１５ｄを中央引戸１ｃの移動経路Ｃに対して直角に傾斜させるのが最も好ましい。そして、一方引戸１ａと中央引戸１ｃとが左右にずれた状態では受け部材１５ｅは傾斜連動金具１５ａとは干渉せず、一方引戸１ａと中央引戸１ｃとが概ね重なる段階で受け部材１５ｅが押し側の傾斜ガイド面１５ｂに片当たりし、さらに一方引戸１ａと中央引戸１ｃとが他方引戸１ｂを挟んで前後に離反する連動開始段階で、受け部材１５ｅが押し側の傾斜ガイド面１５ｂに押されてその押し操作力が中央引戸１ｃの移動経路Ｃと略平行な方向に向かって作用するようになり、逆に閉じる際には受け部材１５ｅが係止面１５ｃに係止した状態で中央引戸１ｃが閉じ位置に近づき、さらに連動終了直前段階に受け部材１５ｅが引き側の傾斜ガイド面１５ｄに引かれてその引き操作力Ｐ２が中央引戸１ｃの移動経路Ｃと略平行な方向に向かって作用するものである。
【００４３】
本例では上記受け部材１５ｅは、ローラーで構成されている。
【００４４】
次に動作を説明する。例えば、図１、図６（ａ）に示すように、右側の一方引戸１ａ側から開く場合、一方引戸１ａと中央引戸１ｃとが左右にずれた状態では受け部材１５ｅは傾斜連動金具１５ａとは干渉せず、一方引戸１ａと中央引戸１ｃとが概ね重なる段階で受け部材１５ｅが傾斜連動金具１５ａの押し側の傾斜ガイド面１５ｂに片当たりし、さらに一方引戸１ａと中央引戸１ｃとが他方引戸１ｂを挟んで前後に離反する連動開始段階において図９（ａ）に示すように、受け部材１５ｅが押し側の傾斜ガイド面１５ｂの基端側により押されてその押し操作力Ｐ１が中央引戸１ｃの移動経路Ｃと略平行な方向に向かって作用する。つまり、押し側の傾斜ガイド面１５ｂの基端から先端までのどの位置でも受け部材１５ｅに対しては、中央引戸１ｃの移動経路Ｃ（湾曲レール部１３のレール方向）と平行な操作力Ｐ１が作用するため、力のロスがなく、中央引戸１ｃがスムーズに斜め後方に向かって開かれるようになる。そして、図１（ｂ）→（ｃ）→（ｄ）のように、中央引戸１ｃと一方引戸１ａは前後に離反した段階で、受け部材１５ｅは傾斜連動金具１５ａの係止面１５ｃに係止した状態となり、この係止状態は一方引戸１ａ及び中央引戸１ｃが全開位置に至るまで持続される。
【００４５】
逆に、閉じる際には、受け部材１５ｅは係止面１５ｃに係止した状態で一方引戸１ａと中央引戸１ｃとが連動して閉じられ、その後、連動終了直前段階において、図９（ｂ）に示すように、受け部材１５ｅが引き側の傾斜ガイド面１５ｄに引かれ、その引き操作力Ｐ２が中央引戸１ｃの移動経路Ｃと略平行な方向に向かって作用する。これにより、図９（ａ）の開く場合と同様に、力のロスがなく、中央引戸１ｃがスムーズに斜め前方に向かって移動することができる。なお中央引戸１ｃが閉位置に達すると、図１（ｄ）→（ｃ）→（ｂ）のように、受け部材１５ｅが引き側の傾斜ガイド面１５ｄから外れて連動が解除され、一方引戸１ａは単独で閉位置まで移動可能となる。
【００４６】
しかして、一方引戸１ａ又は他方引戸１ｃからの開閉が可能な引戸装置において、閉状態では引戸１が同一平面に並ぶことで、全体がフラットになり、例えば、クローゼットの扉として用いた場合、各引戸１を周囲の室内壁と外観上の一体感をもたせることができ、外観上の見栄えが大幅に向上する。しかも、従来では上レール５の長手方向Ｍと直交する前後方向Ａ，Ｂに３本のレール部を並設しているため、上レール５全体の見込み寸法（奥行き）が大きくなるが、これに対して本発明の引戸装置は、２本のレール部（共用レール部７、中央引戸用レール部８）で各引戸１をガイドできるので、上レール５全体の見込み寸法Ｆ（図６（ａ））を小さくすることが可能となり、この結果、例えばクローゼットの扉として用いた場合は、従来と比較して収納量アップを図ることができる。そのうえ、一方引戸１ａと中央引戸１ｃとを連動機構１５によって連動させることができるので、中央引戸１ｃを手で開閉する必要がなくなり、開閉操作がきわめて容易となると共に、連動機構１５は押し側の傾斜ガイド面１５ｂと係止面１５ｃと引き側の傾斜ガイド面１５ｄとを一体形成した簡単な構造であるため、コスト低減を図ることができる。
【００４７】
さらに、連動機構１５の押し側の傾斜ガイド面１５ｂ及び引き側の傾斜ガイド面１５ｄは、それぞれ、先端になる程上記一方引戸１ａの開き方向Ｄ（図９）とは反対方向に傾斜しているため、一方引戸１ａと中央引戸１ｃとの連動開始段階では、中央引戸１ｃの受け部材１５ｅに対して一方引戸１ａの押し側の傾斜ガイド面１５ｂから加わる押し操作力Ｐ１の方向は中央引戸１ｃの移動経路Ｃと略平行となるため、一方引戸１ａの押し操作力Ｐ１を効率よく中央引戸１ｃに伝達することができる。また一方引戸１ａと中央引戸１ｃの連動終了直前段階では、中央引戸１ｃの受け部材１５ｅに対して一方引戸１ａの引き側の傾斜ガイド面１５ｄから加わる引き操作力Ｐ２の方向が中央引戸１ｃの移動経路Ｃと略平行となるため、一方引戸１ａの引き操作力Ｐ２を効率よく中央引戸１ｃに伝達することができ、結果、開閉いずれの場合も、中央引戸１ｃの滑らかな連動開閉が可能になる。つまり、操作力Ｐ１（Ｐ２）のほぼすべてが中央引戸１ｃの移動に寄与して、力のロスをなくすことができるので、小さな操作力で済む。この結果、開閉操作性が大幅に向上するものである。
【００４８】
しかも、受け部材１５ｅはローラーで構成されているため、連動開始段階及び連動終了直前段階において、それぞれ、傾斜連動金具１５ａと受け部材１５ｅとの摩擦が極力小さくなり、その際の開閉操作力をより一層低減することができる。
【００４９】
また本例では、図１に示すように、中央引戸１ｃの両端側にそれぞれ受け部材１５ｅを取り付け、一方引戸１ａの右端（把手側）、及び、他方引戸１ｂの左端（把手側）に、それぞれ、傾斜連動金具１５ａを取り付けた構成となっているため、左開きと右開きのいずれの場合も、連動機構１５が働く構造となる。つまり、３枚の引戸１が一列に段差なく面一に配置された全閉状態で、他方引戸１ｂを一方引戸１ａ側に向けて移動する（実施形態では左側の引戸１である他方引戸１ｂを右側に移動する）ことで、連動機構１５により中央引戸１ｃを他方引戸１ｂに連動して移動すると共に、誘導機構１９により他方引戸１ｂを一方引戸１ａの前方側に重ねるように誘導し且つ中央引戸１ｃを一方引戸１ａの後方側に重ねるように誘導し、前から順に他方引戸１ｂ、一方引戸１ａ、中央引戸１ｃの順に重ねるように開くことができるものである。
【００５０】
ちなみに、住宅躯体のタチの狂い（傾き、たわみ等）によって引戸１の傾きがあると、傾斜連動金具１５ａが受け部材１５ｅに当たらず、連動できなくなる事態が生じる。そこで、本例では、図１６に示すように、受け部材１５ｅのベース１５ｆに設けられる引戸固定用孔１５ｇを垂直方向に長い長孔で形成している。これにより、受け部材１５ｅのベース１５ｆの上下の取り付け位置を長孔状の引戸固定用孔１５ｇに沿って調整自在となり、結果、確実に引戸１の連動開閉が可能となる。
【００５１】
次に、上記受け部材１５ｅの他の実施形態を説明する。ちなみに、連動機構１５では、中央引戸１ｃに取り付けられた受け部材１５ｅが傾斜連動金具１５ａから離れる位置は、各部品や取付け位置等のバラツキにより変動する。また、受け部材１５ｅが傾斜連動金具１５ａから離れた後に中央引戸１ｃが停止位置については、引戸１の閉速度や引戸１の重さに依存する。中央引戸１ｃを定位置に停止させることができない。この場合、３枚引戸１の面一性が損なわれ、外観が見苦しくなるうえに、閉じた状態から一方引戸１ａ側又は他方引戸１ｂｃ側から開く際に、引戸の干渉により開き操作に支障をきたしたり、衝突音が生じたりするなど、使い勝手が悪くなる問題もある。
【００５２】
そこで、本例では傾斜連動金具１５ａに対する前後位置を調整する前後調整手段２８を備えている。これにより、受け部材１５ｅが傾斜連動金具１５ａから離れる位置を変化させ、中央引戸１ｃの停止位置をできる限り、一定にできるようになる。
【００５３】
この前後調整手段２８の具体的な構成としては、図１６に示すネジ送り式がある。これは、受け部材１５ｅのベース１５ｆの片側半分をＵ字状金具１５ｊで構成し、その内側に断面四角形状のナット部材１５ｍを回転不能な状態で状態で挿入して、Ｕ字状金具１５ｊを貫通するネジ１５ｎをナット部材１５ｍの横方向に開口した雌ネジに螺合させる。ナット部材１５ｍの上端部にはローラー１５ｉが回転自在に設けられている。ネジ１５ｎを一方に回転させるとナット部材１５ｍが後方Ｂに引き寄せられてローラー１５ｉが後方Ｂに移動し、ネジ１５ｎを逆回転させるとナット部材１５ｍが前方Ａに押し出されてローラー１５ｉも前方Ａに移動する。これにより、ローラー１５ｉの前後位置を容易に調整できるようになり、住宅躯体のタチの狂い（傾き、たわみ等）に一層容易に対処可能となる。
【００５４】
前後調整手段２８のさらに他例として、図１７に示す偏心軸１５ｐを回転させる方式がある。これは受け部材１５ｅのベース１５ｆに断面四角形の軸取り付け孔１５ｑが垂直方向に設けられ、偏心軸１５ｐの下部が回転不能に挿入される。偏心軸１５ｐの上部には受け部材１５ｅを構成するローラー１５ｉが回転自在に嵌め込まれている。そして、偏心軸１５ｐを軸取り付け孔１５ｑから取り出して、偏心軸１５ｐを９０°、あるいは１８０°回して軸取り付け孔１５ｑに挿入してネジ止め固定することにより、ローラー１５ｉの前後方向Ａ，Ｂの位置を容易に調整できるようになる。
【００５５】
また本例では、図７に示すように、上レール５が、下方に開口する上レール本体５０と、上レール本体５０の開口に配置されて上レール本体５０との間隙により直進レール部９，１０を構成する直進部レールカバー５１Ａと、上レール本体５０の開口に配置されて曲線状に切り欠かれた切欠溝により曲進レール部を構成する曲進部レールカバー５１Ｂとに別部品に分割されているので、上レール５の構成部品の強度を十分に確保でき、とりわけ曲進レール部の強度を容易に確保できる結果、簡易に組み立てることができるものでありながら、上レール５の剛性を高めることができる。
【００５６】
しかも、上レール本体５０の開口に直進部レールカバー５１Ａ及び曲進部レールカバー５１Ｂを取り付けているため、上レール本体５０の見込み寸法を小さくすることが容易となる。また図２、図７に示すように、上レール本体５０への曲進部レールカバー５１Ｂの取り付けをネジ止めによる取り付けとしているため、ネジ止めした曲進部レールカバー５１Ｂを外すことにより、その開口部分から上ランナー２１〜２３を上レール本体５０内に挿入することができ、従って、直進部レールカバー５１Ａに開口を設けたり、その開口を塞ぐ専用のカバーが不要となり、そのうえ、孔明けによる直進部レールカバー５１Ａの強度低下を防止できると共に、部品数を減らして組み立て性の向上を図ることができる。
【００５７】
また本例では、図１３に示すように、直進部レールカバー５１Ａに曲進部レールカバー連結用の凹所１５０を設け、直進部レールカバー５１Ａの凹所１５０に曲進部レールカバー５１Ｂを連結した状態で、直進部レールカバー５１Ａの上ランナー走行面４００と曲進部レールカバー５１Ｂの上ランナー走行面４０１とが面一となるように構成している。これにより直進部レールカバー５１Ａのツバ部３００１と曲進部レールカバー５１Ｂのツバ部３００とを同一高さにすることで、図１３（ｂ）、（ｃ）のようにランナー走行面４００，４０１における継ぎ目で高さ方向の段差を極力小さくできるようになり、滑らか開閉操作を行なうことができる。
【００５８】
また本例では、上レール本体５０の上面中央部に補強用凹部１５１を形成しているので、剛性が向上すると共に、上レール本体５０の上面部５０ａに対して分岐部材１８をネジ止め固定する際に、そのネジの頭部が上レール本体５０の上面よりも上方に飛出すのを凹部１５１によって防止でき、従って、天井に上レール本体５０の上面部５０ａを取り付ける際に、ネジの頭部が支障にならず、取り付け作業が容易となる。
【００５９】
さらに本例では、図３〜図７に示すように、上記上レール本体５０の上面部５０ａから引戸１の上ランナー２１〜２３をガイドするガイドリブ３８を垂設しているので、曲進レール部でのリブ除去加工においてリブ加工残りが発生した場合でも、このリブ加工残りがローラー走行面に段差を生じさせることがなく、ローラー走行性に悪影響を及ぼすことがないものである。
【００６０】
次に、下レール６を説明する。図１４に示すように、引戸１の下端部の中央の１箇所には下ローラー４１が突設されている。本実施形態では、引戸１の下端部に設けた下方に開口する左右２個の凹所５００に、下方に開口するケーシング５０１をそれぞれ嵌め込み、各ケーシング５０１内部にロッド５０２をそれぞれ収納すると共に、ケーシング５０１天面とロッド５０２との間に押下げバネ１１０を介在させてある。ロッド５０２はケーシング５０１下面にて抜け止めされている。これにより、２個のロッド５０２は押下げバネ１１０によってそれぞれ下方にバネ付勢された状態で引戸１の下方に突出しており、各ロッド５０２の下端部を平板状のローラー支持金具８０の後端部の上面の２箇所に取り付けてある。ローラー支持金具８０の前端部の中央下面側には１個の下ローラー４１が回転自在に支持されている。この下ローラー４１をガイドする下レール６には、図１５に示すように、共用レール部７１０１の長手方向Ｍの両端側から後方Ｂに向って傾斜した左右の曲進レール部４２，４３がそれぞれ設けられ、中央引戸用レール部８１０２の中央部から前方Ａに向って半円形状に湾曲した１つの湾曲レール部１３４４が設けられている。なお図１５中の４５は分岐用補助レールである。
【００６１】
ここで、下レール６の左側の曲進レール部４２の位置は、上レール５の左側の外側曲進レール部１１と内側曲進レール部１２との中間位置に対向しており、下レール６の右側の曲進レール部４３の位置は、上レール５の右側の外側曲進レール部１１と内側曲進レール部１２との中間位置に対向しており、下レール６の湾曲レール部１３４４の位置は、上レール５の左右の湾曲レール部１３，１３の中間位置に対向している。
【００６２】
そして、各引戸１の上端部は左右２個の上ランナー２１（２２，２３）で吊り下げ支持され、下端部は１個の下ローラー４１で下レール６にガイドされる結果、各引戸１の走行の安定化を十分に図ることができると共に、１個の下ローラー４１を用いることで、下レール６の溝形状を上レール５の溝形状よりも簡易にでき、下レール６のコスト低減を図ることができる利点もある。
【００６３】
なお前記実施形態では、連動機構１５付き引戸装置を説明したが、連動機構１５を省略して、各引戸１を単独で手動開閉させることも可能である。
【００６４】
また、本発明に係る引戸装置は、クローゼットの扉以外に各種の開閉扉の分野にも広く適用できるものである。
【図面の簡単な説明】
【００６５】
【図１】（ａ）〜（ｅ）は本発明の一実施形態の連動機構による開閉動作を説明する平面図である。
【図２】（ａ）は同上の上レール本体の下面図、（ｂ）は上レールカバーの下面図である。
【図３】同上の上ランナー及び上レールカバーを説明する側面図である。
【図４】同上の高い補助ローラーが短い補助レールにガイドされる場合の説明図である。
【図５】同上の低い補助ローラーが長い補助レールにガイドされる場合の説明図である。
【図６】（ａ）は同上の上レールに配置される分岐部材を説明する下面図、（ｂ）は引戸の補助ローラーの位置及び高さを説明する平面図である。
【図７】（ａ）は同上の上レールの斜視図、（ｂ）は分解斜視図である。
【図８】同上の連動機構を説明する斜視図である。
【図９】（ａ）（ｂ）は連動機構の傾斜連動金具と受け部材の操作力の方向を説明する図である。
【図１０】同上の引戸が配置される扉枠の正面図である。
【図１１】同上の右開き動作の説明図である。
【図１２】同上の左開き動作の説明図である。
【図１３】（ａ）は同上の直進部レールカバーと曲進部レールカバーの正面図、（ｂ）は（ａ）のＱ−Ｑ線断面図、（ｃ）は（ａ）のＲ−Ｒ線断面図である。
【図１４】（ａ）（ｂ）は同上の下ローラを説明する斜視図、（ｃ）は側面図である。
【図１５】同上の下ランナーの説明図である。
【図１６】（ａ）〜（ｄ）は同上の受け部材の傾斜連動金具に対する上下位置を調整する上下調整手段の説明図である。
【図１７】（ａ）〜（ｃ）は同上の受け部材の傾斜連動金具に対する前後位置を調整する前後調整手段の説明図である。
【図１８】（ａ）〜（ｄ）は同上の受け部材の傾斜連動金具に対する前後位置を調整する前後調整手段の他例の説明図である。
【符号の説明】
【００６６】
１  引戸
１ａ  一方引戸
１ｂ  他方引戸
１ｃ  中央引戸
５  上レール
１５  連動機構
１５ａ  傾斜連動金具
１５ｂ  押し側の傾斜ガイド面
１５ｃ  係止面
１５ｄ  引き側の傾斜ガイド面
１５ｅ  受け部材
１９  誘導機構
【図１】
2006112158.tif 000003
【図２】
2006112158.tif 000004
【図３】
2006112158.tif 000005
【図４】
2006112158.tif 000006
【図５】
2006112158.tif 000007
【図６】
2006112158.tif 000008
【図７】
2006112158.tif 000009
【図８】
2006112158.tif 000010
【図９】
2006112158.tif 000011
【図１０】
2006112158.tif 000012
【図１１】
2006112158.tif 000013
【図１２】
2006112158.tif 000014
【図１３】
2006112158.tif 000015
【図１４】
2006112158.tif 000016
【図１５】
2006112158.tif 000017
【図１６】
2006112158.tif 000018
【図１７】
2006112158.tif 000019
【図１８】
2006112158.tif 000020